(57)【要約】【課題】本考案では、吹き出しパネルを送風機本体側に対してしっかりと取り付けることができるとともに、本体側に対する着脱も容易に行うことができる送風機の提供を目的とする。【解決手段】送風ファン２４と、該送風ファン２４を囲繞する外郭カバー１３とを具備し、上記外郭カバー１３の壁面に、上記外郭カバー１３の内側へ空気を吸入する吸入部２６と、吸入した空気を吹き出し可能に開口された吹出部２７とを具備して構成した送風機１０であって、上記吹出部２７の全体を、連通口１４ａを有した吹き出しパネル１４で覆い、該吹き出しパネル１４を送風機本体に対して取り外し可能に構成した送風機１０。【選択図】図２
0003122054.tif 000002
【実用新案登録請求の範囲】
【請求項１】
送風ファンと、該送風ファンを囲繞する外郭カバーとを具備し、上記外郭カバーの壁面に、上記外郭カバーの内側へ空気を吸入する吸入部と、吸入した空気を吹き出し可能に開口された吹出部とを具備して構成した送風機であって、
上記吹出部の全体を、連通口を有した吹き出しパネルで覆い、該吹き出しパネルを送風機本体に対して取り外し可能に構成した
送風機。
【請求項２】
上記吹出部に対して上記吹き出しパネルが取り外し可能に嵌め込まれる枠部を、上記吹出部の外周側に形成した
請求項１に記載の送風機。
【請求項３】
上記吹き出しパネルの外周側の一端側に、その一端部から外側へ突き出した突片を形成するとともに、
上記枠部の内周側における、上記吹き出しパネルの上記突片に対応する部位に、上記突片が差し込み可能であるとともに開口縁部により係合可能な形状を有する差し込み部を形成した
請求項１又は請求項２に記載の送風機。
【請求項４】
上記外郭カバーに対して上記吹き出しパネルを螺子留めにより取り付ける一対の螺子取付け部を形成し、
上記一対の螺子取付け部における一方の螺子取付け部を、上記吹き出しパネル側に形成するとともに、他方の螺子取付け部を、上記外郭カバーにおける上記一方の螺子取付け部との対向部位に形成した
請求項１から請求項３のうちいずれか１項に記載の送風機。
【請求項５】
螺子軸の軸方向の基端部側をその先端側の雄螺子部が形成された部位よりも小径に形成した螺子を具備し、
上記一方の螺子取付け部を、上記螺子の軸方向の先端側よりも小さな内径で、且つ、上記螺子の軸方向の基端部を挿通可能とする内径を有した挿通孔により形成し、
上記他方の螺子取付け部を、上記雄螺子部と螺合する雌螺子部により形成した
請求項１から請求項４のうちいずれか１項に記載の送風機。
【請求項６】
上記送風ファンを、遠心式ファンにより形成し、
上記外郭カバーの上記吹出部の周端部における少なくとも部位に、上記吹出部に対して前方へ突き出した突出部を形成した
請求項１から請求項５のうちいずれか１項に記載の送風機。
【考案の詳細な説明】
【技術分野】
【０００１】
この考案は、扇風機をはじめ、冷風を送風することのできる冷風機、若しくは、温風を送風することのできる温風機などの送風機に関する。さらに詳しくは、吹き出しパネルを送風機本体側に対して容易に着脱することができ、しかも、しっかりと取り付けることのできる、送風機における吹き出しパネルの取付け構造に関する。
【背景技術】
【０００２】
上述したような送風機、或いは、送風機本体側に対して取り付ける吹き出しパネルの取付け構造に関して、従来から様々な文献が開示されている。
【０００３】
例えば、下記特許文献１において、「ルーバー」が開示されている。  
下記特許文献１における「ルーバー」は、壁面などに設けられた箱体開口部に嵌め込んで取り付けることができる。ルーバーの構成は、ルーバー本体の内周側に、冷却ファンを後方側に具備している。該冷却ファンの前面側には、ルーバー本体から十字形に横架された載置部を具備し、該載置部上には、フィルタが載置されている。
【０００４】
さらに、ルーバー本体の前側は、多数の通気孔を有するカバーにより被覆している。上記カバーは、ルーバー本体の前側の外周側に形成された枠部に係合することにより取り付けられている。
【０００５】
ここで、上記ルーバーは、例えば、冷却ファン自体を清掃する場合、カバーやフィルタをルーバー本体から取り外す必要があり手間を要する。又、これらを取り外した後も本体カバーにおける特に十字形の載置部が邪魔になり、冷却ファン等の清掃を容易にすることができない。このため、本体カバーを箱体開口部から冷却ファンごと取り外した後、本体カバーの背面側から冷却ファンを取り出して清掃する必要があり、やはり手間を要してしまう。
【０００６】
また、上記カバーは、ルーバー本体に設けられた枠部に対して軽く係合しているだけであるため、ルーバー本体から不要に取り外れてしまうおそれも有する。
【０００７】
【特許文献１】特開２００３−１０６６３３号公報
【考案の開示】
【考案が解決しようとする課題】
【０００８】
そこで本考案では、吹き出しパネルを送風機本体側に対してしっかりと取り付けることができるとともに、本体側に対する着脱も容易に行うことができる送風機の提供を目的とする。
【課題を解決するための手段】
【０００９】
本考案における送風機は、送風ファンと、該送風ファンを囲繞する外郭カバーとを具備し、上記外郭カバーの壁面に、上記外郭カバーの内側へ空気を吸入する吸入部と、吸入した空気を吹き出し可能に開口された吹出部とを具備して構成した送風機であって、上記吹出部の全体を、連通口を有した吹き出しパネルで覆い、該吹き出しパネルを送風機本体に対して取り外し可能に構成したことを特徴とする。
【００１０】
さらに、本考案における送風機は、上記吹出部に対して上記吹き出しパネルが取り外し可能に嵌め込まれる枠部を、上記吹出部の外周側に形成することが好ましい。
【００１１】
さらにまた、本考案における送風機は、上記吹き出しパネルの外周側の一端側に、その一端部から外側へ突き出した突片を形成するとともに、上記枠部の内周側における、上記吹き出しパネルの上記突片に対応する部位に、上記突片が差し込み可能であるとともに開口縁部により係合可能な形状を有する差し込み部を形成することができる。
【００１２】
さらに、本考案における送風機は、上記外郭カバーに対して上記吹き出しパネルを螺子留めにより取り付ける一対の螺子取付け部を形成し、上記一対の螺子取付け部における一方の螺子取付け部を、上記吹き出しパネル側に形成するとともに、他方の螺子取付け部を、上記外郭カバーにおける上記一方の螺子取付け部との対向部位に形成することが好ましい。
【００１３】
また、本考案における送風機は、螺子軸の軸方向の基端部側をその先端側の雄螺子部が形成された部位よりも小径に形成した螺子を具備し、上記一方の螺子取付け部を、上記螺子の軸方向の先端側よりも小さな内径で、且つ、上記螺子の軸方向の基端部を挿通可能とする内径を有した挿通孔により形成し、上記他方の螺子取付け部を、上記雄螺子部と螺合する雌螺子部により形成することができる。
【００１４】
さらにまた、本考案における送風機は、上記送風ファンを、遠心式ファンにより形成し、上記外郭カバーの上記吹出部の周端部における少なくとも部位に、上記吹出部に対して前方へ突き出した突出部を形成することもできる。
【考案の効果】
【００１５】
請求項１に記載の考案によれば、上記吹出部を吹き出しパネルを送風機本体に対して着脱可能に形成することにより、このような吹き出しパネルを送風機本体から取り外せば、吹出部は開口された状態になるので、上記吹出部を通じて外郭カバーに収容されたファンなどの部材について容易に清掃することができる。
【００１６】
請求項２に記載の考案によれば、連通口を有して形成した吹き出しパネルを、外郭カバーに形成した枠部に対して嵌め込みにより取り付けることにより、容易に取り付けることができ、一旦、嵌め込めば、枠部に対してしっかりと取り付けることできる。
【００１７】
請求項３に記載の考案によれば、吹き出しパネルに設けた突片を、枠部に設けた差し込み部に差し込んで嵌め込むことにより、単に枠部に嵌め込む場合と比較してより強固に取り付けることができる。
【００１８】
請求項４に記載の考案によれば、一対の螺子取付け部どうしを螺子留めすることで、たとえ吹出部から強風が吹き出したり、吹き出しパネルに外力が加わったりしても、吹き出しパネルは、枠部から外れてしまうことがなく、枠部に対して強固に取り付けることができる。
【００１９】
請求項５に記載の考案によれば、上記一方側の螺子取付け部に具備した螺子がパネルから抜け落ちてしまうことがないため、吹き出しパネルの枠部に対する着脱が容易であり、螺子の紛失も防ぐことができる。
【００２０】
請求項６に記載の考案によれば、外郭カバーに上述したような突出部を設けることで吹出部から吹き出す風が不要に拡散しないように規制して正確に前方側へ向けて風を吹き出すことができる。
【考案を実施するための最良の形態】
【００２１】
この考案の一実施形態を、以下、図面を用いて説明する。  
図１は、本実施例における扇風機１０の外観図を示す。図２は、図１における扇風機１０の中央縦断面図である。図３は、図１における仮想平面Ａにおいて扇風機１０を切断したときの切断端面図を示す。
【００２２】
これら図１、図２、及び、図３に示したように、本実施例の扇風機１０は、縦長の形態で形成している。上記扇風機１０は、下部に床面に設置するための基台１１を具備し、その基台１１に対して本体部材１２を起立した状態で構成している。
【００２３】
上記本体部材１２は、その外周に外郭カバー１３が構成されている。外郭カバー１３の上面には、該上面を前傾させた形態の前傾部１３ａが構成され、外郭カバー１３の前面側には、吹き出しパネル１４が嵌め込まれている。さらに、外郭カバー１３は、上記前傾部１３ａ、及び、外郭カバー１３の前面側に、幅方向の両側縁部から上側縁部にかけて例えば、１０ｍｍから４０ｍｍ程度突き出したカバー突出部１５を有した形態で形成している。
【００２４】
また、上記図２に示したように、上記本体部材１２の外郭カバー１３内部における上下方向の中央部には、送風機構２１が構成されている。扇風機１０における上記送風機構２１の下側には、首振り機構２２が構成されている。さらに、本体部材１２の上部には、上記送風機構２１、或いは、上記首振り機構２２の各部を操作するための操作機構２３が構成されている。
【００２５】
上記送風機構２１は、上記図２、及び、上記図３に示したように、外郭カバー１３内において送風ファンとして遠心式ファン２４（シロッコファン）と、該遠心式ファン２４を回転させるファンモータ２５と、外郭カバー１３内に空気を吸入する吸入部２６と、外郭カバー１３内から空気を吹き出す吹出部２７とを具備して構成される。
【００２６】
上記遠心式ファン２４は、吸引した空気を径外方向へ吹き出す公知のファンであり、さらに詳しくは、外周側に多数の羽根２４ａ，…を配設して構成したドラム形をしたファンである。
【００２７】
さらに、外郭カバー１３内の遠心式ファン２４が収容されている空間は、その上側に、上側仕切り板３１が設けられるとともに、上記空間の下側に、下側仕切り板３２が設けられて区分されている。
【００２８】
ドラム形をした上記遠心式ファン２４には、その中心軸に支持軸３３が連通され、該支持軸３３は、下側仕切り板３２よりも下方へ突き出している。
【００２９】
上記ファンモータ２５は、上記下側仕切り板３２の下側に設けられ、上記遠心式ファン２４の下側から突き出した支持軸３３を軸支している。
【００３０】
また、上記図３、及び、上記図１に示したように、吸入部２６は、上記外郭カバー１３における、上記遠心式ファン２４における平面視したとき背面側の左側半分に相当する部位に、打ち抜きにより多数の吸込孔２６ａ，…を配設して構成されている。
【００３１】
なお、外郭カバー１３におけるの各吸込孔２６ａの周縁部２６ｂは、薄肉であるものの、厚み方向の外側から内側に徐々にスライドさせた断面形状で打ち抜いている。
【００３２】
このように各吸込孔２６ａの周縁部２６ｂを、外郭カバー１３の外側から内側へ空気を取り込む向きと略一致させた断面形状で形成することにより、外側から空気を取り込み易く形成している。
【００３３】
また、吹出部２７は、図４に示したように外郭カバー１３の前面側における、上記遠心式ファン２４に相当する部位の正面視右半分側の部位を、長方形状に開口した形態で構成されている。
【００３４】
さらに、外郭カバー１３の前面側には、上記図２に示したように上記吹出部２７と、該吹出部２７を右半分としたとき左半分に相当する部位とを含めた部位の外周縁部を、段状に凹ませて吹き出しパネル１４を嵌め込み可能とする大きさの枠部３４が構成されている。  
なお、外郭カバー１３の前面側における枠部３４内の左半分に相当する部位を含めた部位は、閉塞して構成しているため、該部位を閉塞部１３ｂに設定する。  
上記吹き出しパネル１４は、上記図１に示したように、上記外郭カバー１３における枠部３４に対して嵌め込んだ状態で取り付けることができるが、上記図４に示したように枠部３４から取り外し可能に構成している。
【００３５】
また、上記吹き出しパネル１４については、正面視するとその右半分に相当する上記吹出部２７に相当する部位に、スリット状に長手方向に連通させた複数の連通口１４ａを構成している。
【００３６】
また、上記図２中の領域Ｘを拡大した要部拡大図、及び、上記図４に示したように、吹き出しパネル１４の上部における幅方向の各側には、突片３５ａが形成され、該突片３５ａに対して枠部３４の上部の幅方向の各側、すなわち、枠部３４内に吹き出しパネル１４を取り付けたとき上記突片３５ａに対応する部位にも差し込み可能な差し込み孔３５ｂが形成されている。
【００３７】
さらに、図２中の領域Ｙを拡大した要部拡大図に示したように、吹き出しパネル１４の下部と、これに対応する、上記閉塞部１３ｂにおける部位とには、一対の螺子取付部３６，３７のそれぞれを形成している。
【００３８】
ここで、上記一対の螺子取付部３６，３７における吹き出しパネル１４側に形成した螺子取付部をパネル側螺子取付部３６に設定するとともに、上記一対の螺子取付部３６，３７における上記外郭カバー１３側に形成した螺子取付部を外郭カバー側螺子取付部３７に設定する。
【００３９】
上記外郭カバー側螺子取付部３７は、上記閉塞部１３ｂに対して前方側へ突き出し円筒状の内周側に螺子孔３７ａを形成している。  
これに対してパネル側螺子取付部３６は、上記螺子孔３７ａに連通する螺子連通孔３６ａを形成し、該螺子連通孔３６ａには、螺子３６ｂを連通している。但し、上記螺子連通孔３６ａは、螺子孔３７ａよりも細い内径で形成している。
【００４０】
すなわち、螺子３６ｂは、その軸方向の基部側を螺子連通孔３６ａに対して連通可能な細径で形成し、軸方向の先端側は、螺子孔３７ａに対して螺合可能な雄螺子を形成している。
【００４１】
また、図５に示したように、吹き出しパネル１４の裏面側であって、連通した複数の連通口１４ａに相当する、上下方向の中央部位には、２つのフィン３８，３８を配設している。  
なお、図５は、吹き出しパネル１４を裏面側から視た一部位の外観図を示す。
【００４２】
上記各フィン３８は、吹き出しパネル１４の裏面側に３枚の薄板３８ａ，３８ｂ，３８ｃのそれぞれを所定間隔ごとに上下に揺動可能に枢着している。さらに、各薄板３８ａ，３８ｂ，３８ｃは、連結バー３８ｄの軸方向の各部位に枢着して薄板３８ａ，３８ｂ，３８ｃを一体に連動させるよう構成している。３枚の薄板３８ａ，３８ｂ，３８ｃにおける中間に配した薄板３８ｂには、操作バー３８ｅが吹き出しパネル１４から突き出した状態に延設されている。操作バー３８ｅを上下に操作させることでフィン３８近傍を通過する空気の風向きを変更することができる。
【００４３】
以上が本実施例の扇風機１０における送風機構２１の構成である。続いて、上記首振り機構２２について上記図２を用いて説明する。
【００４４】
首振り機構２２には、基台１１の中心から突き出した状態で基台１１に対して固定されている固定台４１と、本体部材１２の下部に連通保持されているロッド４２とを具備して構成される。上記首振り機構２２は、このロッド４２を回動中心として本体部材１２を基台１１に対して所定範囲だけ回動させることができる機構で構成している。
【００４５】
さらに、首振り機構２２は、本体部材１２内の上記送風機構２１の下側に設けられた首振り用モータ４３を具備し、上記ロッド４２に対して偏心させた位置に、軸方向の一端が固定台４１に固定されたシャフト４４を具備して構成される。シャフト４４の軸方向の他端部には、水平に配した連結板４５の一端側がその軸回りに回動自在に連結されている。
上記首振り用モータ４３のモータ軸には、連結板４５の他端側４５ｂが連結されている。
【００４６】
最後に操作機構２３については、図６に示したように、上記外郭カバー１３の表面における上記前傾部１３ａに設けられた操作パネル４６を具備している。上記操作パネル４６には、複数のスイッチ４６ａ，…が配設されている。  
なお、図６は、扇風機１０の上部における正面図を示す。
【００４７】
また、上記外郭カバー１３における下側には、表示パネル４７が設けれ、さらにその下側には、マイナスイオン発生器４８のイオン発生部４８ａが設けられている。
【００４８】
上記外郭カバー１３内における、上記傾斜面部と上側仕切り板３１との間の空間には、上記図２に示したように、マイクロコンピュータなどの電子部品を設けた制御基板、トランスなどを具備した制御部５１が内蔵されている。
【００４９】
さらに、基台１１から上記筒状のロッド４２内を通じて本体部材１２側へ挿入した電源コード５２を各部に接続することで上記各部に電力が供給される。
【００５０】
以上により、上記操作パネル４６のスイッチ４６ａ…のＯＮ／ＯＦＦ操作をすれば送風速度の調節、すなわち、ファンモータ２５の回転速度の段階的な調節も含めて操作することができる。  
さらに、本実施例の扇風機１０は、扇風機１０として用いることができるだけでなく、必要に応じて、基台１１に対して左右各側に本体部材１２を首振りすることや、マイナスイオン発生器４８内の電極から前方側へマイナスイオンを放電させることができる。
【００５１】
なお、上記各部分位の稼動状況は、表示パネル４７によって、デジタル表示させることができる。
【００５２】
本実施例の扇風機１０は、上述したように構成している。  
次に、上述した本体部材１２の枠部３４内に対して、吹き出しパネル１４を取り付ける手順について説明する。
【００５３】
まず、吹き出しパネル１４を上記図４に示したように、外郭カバー１３の枠部３４内に相当する部位に対して対向配置させる。そして、図７に示したように、吹き出しパネル１４を、枠部３４側に前傾させた姿勢で上記突片３５ａを枠体の差し込み孔３５ｂに差し込む（図７中の２点鎖線で示した吹き出しパネル１４参照）。
【００５４】
さらに、上記突片３５ａを差し込み孔３５ｂに差し込めば、上方が枠部３４側に傾いた状態から枠部３４に対して平行になるよう吹き出しパネル１４の下側を枠部３４側へと近づけていく。それとともに、突片３５ａを突き上げてパネルが枠部３４内に完全に収容された状態で（図７中の１点鎖線で示した吹き出しパネル１４参照）、吹き出しパネル１４を保持している手を離せば、吹き出しパネル１４は、自身の自重により吹き出しパネル１４を枠体の下端面に支持された状態に載置することができる（図７中の実線で示した吹き出しパネル１４参照）。
【００５５】
この状態においても、突片３５ａは、一旦、差し込み孔３５ｂに差し込まれれば、差し込み孔３５ｂの開口縁部に係合した状態を維持することができるため、吹き出しパネル１４が枠部３４に対してパネルの上側が手前側（前方側）に傾倒してしまうおそれもない。
【００５６】
続いて、パネル側螺子取付部３６と外郭カバー側螺子取付部３７どうしを螺合することにより、吹き出しパネル１４の枠部３４に対する取り付けが完了する。
【００５７】
すなわち、パネル側螺子取付部３６の螺子３６ｂを外郭カバー側螺子取付部３７の螺子孔３７ａに対してビス留めするだけでよい。
【００５８】
上述したように、突片３５ａの差し込み孔３５ｂに対する嵌め込みと、ビス留めとによる取付け手段を組み合わせることにより、しっかりと、且つ、容易に吹き出しパネル１４を枠部３４内に取り付けることができる。
【００５９】
すなわち、突片３５ａを差し込み孔３５ｂに差し込むだけでよいため、取り付けを容易にすることができ、また、一旦、差し込めば、差し込み孔３５ｂの開口縁に突片３５ａが係合するため、吹き出しパネル１４が手前側に倒伏してしまうこともない。
【００６０】
さらに、一対の螺子取付部３６，３７どうしを互いにビス留めにより固定するだけでよいため、吹出部２７から空気が吹き出しても、吹き出しパネル１４が枠部３４から取り外れてしまうことや、ガタついてしまうこともない。
【００６１】
しかも、一対の螺子取付部３６，３７は、下部にのみ１箇所だけ設けているだけであるため、吹き出しパネル１４を着脱する際に、ビス留めや、ビスの取り外しの手間を最小限に抑えるおとができる。
【００６２】
また、外郭カバー１３の枠部３４内から吹き出しパネル１４を取り外したとき、パネル側螺子取付部３６における螺子３７ｂは、図８に示したように、螺子孔３７ａの開口縁部に係合した状態で保持されるため、吹き出しパネル１４から取り外れてしまうことがない。このため、螺子３７ｂが紛失してしまうおそれがなく容易に着脱することができる。  
なお、図８は、一対の螺子取付け部３６，３７、及び、その近傍部位の拡大図を示す。
【００６３】
その他にも、本実施例の扇風機１０は、外郭カバー１３の枠部３４内から吹き出しパネル１４を取り外したとき、吹出部２７は、フレームなどに覆われることなく完全に開放された状態となるため、外郭カバー１３内部の上記遠心式ファン２４の掃除なども容易にすることができるといった効果を有する。
【００６４】
次に、本実施例の扇風機１０を使用する祭に奏することができる作用、効果について説明する。
【００６５】
操作パネル２４の所定のスイッチ４６ａをＯＮするとファンモータ２５が回転し、遠心式ファン２４が回転する。これにより、吸入部２６を通じて外側の空気を外郭カバー１３内へ吸入させることができる。外郭カバー１３内へ吸入された空気は、図９に示したように、遠心式ファン２４が平面視時計回りに回転しているため、それに伴って平面視時計回りに流れ、さらに、遠心式ファン２４の内側に流入した空気は、遠心式ファン２４の各羽根２４ａの間から径外方向へ吹き出される。  
このようにして、吹出部２７を通じて空気を吹き出すことができ、扇風機として用いることができる。  
なお、図９は、扇風機１０の内外における空気の流れを矢印により模式的に示した作用説明図である。
【００６６】
ところで、このような遠心式ファン２４を用いた場合、吹き出された空気は、ある程度、吹き出しパネル１４の連通口１４ａの間を空気が通過することで、正確に前方に吹き出されるように流れを整えることができる。
【００６７】
しかし、扇風機１０から吹き出す風量を「強」に設定した場合などにおいては、上述したように吹き出しパネル１４の連通口１４ａの間に空気を通過させるだけでは正確に前方へ吹き出すための整流作用が不充分となる場合がある。  
ところが、本実施例においては、外郭カバー１３における吹き出しパネル１４の特に、幅方向の両側にカバー突出部１５を突設しているため、吹出部２７から突き出した空気が吹出部２７に対して幅方向に拡散しないよう規制して正確に前方へ向けて吹き出すことができる（図９中の矢印Ａ１、及び、Ａ２参照）。
【００６８】
上述の実施形態と、この考案の構成との対応において、この実施形態の扇風機１０は、この考案の送風機に対応し、以下同様に、
カバー突出部１５は、突出部に対応し、
差し込み孔３５ｂは、差し込み部に対応するも、この考案は、上述の実施形態の形態のみに限定されるものではなく、多くの実施の形態を得ることができる。
【図面の簡単な説明】
【００６９】
【図１】本実施例の扇風機の外観図。
【図２】本実施例の扇風機の一部を拡大して示した中央縦断面図。
【図３】本実施例の扇風機の図１の仮想面Ａにおける切断端面図。
【図４】扇風機本体側に対する吹き出しパネルの取り付け構造を説明する説明図。
【図５】本実施例の扇風機の吹き出しパネルの説明図。
【図６】本実施例の扇風機の上部を示す正面図。
【図７】吹き出しパネルを扇風機本体側に取り付ける過程を説明する説明図。
【図８】吹き出しパネルの扇風機本体側に対する取り付け構造を説明する説明図。
【図９】本実施例の扇風機が奏する作用を説明する作用説明図。
【符号の説明】
【００７０】
１０…扇風機
１３…外郭カバー
１４…吹き出しパネル
１４ａ…連通口
１５…カバー突出部
２４…遠心式ファン
２６…吸入部
２７…吹出部
３５ａ…突片
３５ｂ…差し込み孔
３６，３７…一対の螺子取付け部
３４…枠部
【図１】
0003122054.tif 000003
【図２】
0003122054.tif 000004
【図３】
0003122054.tif 000005
【図４】
0003122054.tif 000006
【図５】
0003122054.tif 000007
【図６】
0003122054.tif 000008
【図７】
0003122054.tif 000009
【図８】
0003122054.tif 000010
【図９】
0003122054.tif 000011